(57)【要約】      （修正有）【課題】建築分野において金属梁を引っかけたり、吊るしたりすることによって様々な部材を固定する取付装置がある。部材を固定する組立道具や特別な付属品を使用する必要がなく、倒壊の危険がなく重い吊り重りを支持できる取付装置を提供することにある。【解決手段】取付装置は、金属プレート又はシートを切断し、折り畳むことによって得られ、梁又は棒を形成する金属支持部に跨って取り付けられるよう設計されたライダーを形成する金属部１１を備えている。部分１１は、上端アーム１３ｂに沿って波形配列で列状に配置された差し込み部１９と、下端アーム１３ｄの端部でバネとして作用する一対の弾力歯１８とを設けたあごを形成する二側面１６，１７を有するＵ字型フランジを備えている。保持力は強化され、支持部の底面に接触する二つの弾力歯によって、別々の厚みを有する支持部を扱うことができる。【選択図】図１
2006145037.tif 000002
【特許請求の範囲】
【請求項１】
予め定まった厚みを有する金属プレート（１３）又はシートを切断し、折り畳むことによって得られ、梁又は棒を形成する金属支持部（１２）に跨って取り付けられるよう設計されたライダーを形成し、様々な部材を固定又は吊す固定手段を有する金属部（１１，１１０）を備えた取付装置において、
金属部（１１，１１０）は、フランジの上端アーム（１３ｂ）に沿って波形配列で列状に配置された差し込み部（１９）と、下端アーム（１３ｄ）の端部でバネとして作用する一対の弾力歯（１８）とを設けたあごを形成する二側面（１６，１７）を有するＵ字型フランジを備えたことを特徴とする取付装置。
【請求項２】
二つの歯（１８）は、二側面（１６，１７）を分離するギャップの外側に適切な角度で折り曲げられ、各歯（１８）は、支持部（１２）にあごが挿入された際、弾力的に変形して下方に屈曲できることを特徴とする請求項１記載の取付装置。
【請求項３】
各歯（１８）は、支持部（１２）の厚みに従って数ミリメートルたわむことのできる所定の長さを有することを特徴とする請求項１又は２に記載の取付装置。
【請求項４】
差し込み部（１９）は、弾力歯（１８）に対向して配置された支持部（１２）の金属表面内に埋め込まれるように、各上端アーム（１３ｂ）の直線状の縁に沿って延在していることを特徴とする請求項１記載の取付装置。
【請求項５】
部分（１１，１１０）のフランジは、側面（１６，１７）に連結している上面（１４）と正面（１５）とを有することを特徴とする請求項１記載の取付装置。
【請求項６】
上面（１４）は、適切な角度で折り畳まれた各上端アーム（１３ｂ）の一部によって形成されていることを特徴とする請求項５記載の取付装置。
【請求項７】
ギャップ（２０）は、正面（１５）の内壁に固定された部材を挿入できるように、上面（１４）の中央に長手方向に通路（２３）まで延在していることを特徴とする請求項６記載の取付装置。
【請求項８】
部分（１１，１１０）の正面（１５）には、部材を掛けたり、部材の通路となる、少なくとも一つの開口（２１）が設けられていることを特徴とする請求項５記載の取付装置。
【請求項９】
部分（１１）の正面（１５）は、頂点部で外方に折り畳まれて掛け金となる突出部（２２）を有することを特徴とする請求項８記載の取付装置。
【請求項１０】
弾力歯（１８）は、垂直な対称中間面（Ｐ）に対して対称に配置されていることを特徴とする請求項１記載の取付装置。
【請求項１１】
部分（１１０）の上面（１４）は、正面（１５）の頂点に設けられた第二の半円形の縁（３０）に対向する第一の半円形の縁（２９）を有していることを特徴とする請求項５記載の取付装置。
【請求項１２】
部分（１１，１１０）は、フランジ内を通過するロッド（２６）を予め配置できるよう、フランジ内部で正面（１５）に向かって設けられた中間タブ（１３ｃ）を有することを特徴とする請求項１乃至１１のいずれかに記載の取付装置。
【請求項１３】
タブ（１３ｃ）は、ピン形状に折り畳まれていることを特徴とする請求項１２記載の取付装置。
【発明の詳細な説明】
【技術分野】
【０００１】
発明の背景
本発明は、予め定まった厚みを有する金属プレート又はシートを切断し、折り畳むことによって得られ、梁又は棒を形成する金属支持部に跨って取り付けられるよう設計されたライダーを形成し、様々な部材を固定又は吊す固定手段を有する金属部を備えた取付装置に関する。
【背景技術】
【０００２】
技術の状態
特に建築分野において、金属梁を引っかけたり、吊るしたりすることによって様々な部材を固定する二つの主流なタイプの取付装置がある。
【０００３】
第一の取付タイプのものは、ハンマーによって金属支持部に係合するように設計された堅いスティールライダーを使用するものである。グリップを形成するそのようなライダーは、支持部を構成することのできる梁や片の異なる厚みを考慮し、別々の形状のものを用いる必要がある。既知の取付装置に吊されている部材の性質によって、さらに複数の固定付属品を取り付けることが必要となり、この付属品は、対象物や部材を吊す様々なタイプと、様々な方法とを考慮に入れてライダーに固定されるよう設計されたスペア部によって形成されている。 
【０００４】
第二の取付タイプのものは、上部翼に開けられた開口内にねじ込まれる堅いあごとネジからなる金属フランジを有している。このような装置は、支持部の別々の厚みに合うように調節され、ネジは支持部に係合するよう十分に固定される必要がある。このタイプの既知の取付装置には以下の欠点がある。すなわち、支持部にネジを効果的に固定するために道具（スパナやドライバー）を使用し、固定する際ネジによって生じる梃子効果のために取付装置の機械的強さが減少し、部材がネジロッド、平滑ロッド、カラー、プラスチック片、小型チェーン、ケーブルなどによって形成される場合には固定付属品を使用する必要がある。これらの付属品はあらゆる組立手段によって固定され、典型的にはリベットによって留められる。
【発明の開示】
【発明が解決しようとする課題】
【０００５】
発明の目的
本発明の目的は上述した欠点を解消することにあり、高い機械的強度を有し、別々の厚みを有する支持部を扱うことができ、部材を固定する組立道具や特別な付属品を使用する必要がなく、倒壊の危険がなく重い吊り重りを支持できる取付装置を提供することにある。
【課題を解決するための手段】
【０００６】
本発明による装置は、一部が、フランジの上端アームに沿って波形配列で列状に配置された差し込み部と、下端アームの端部でバネとして作用する一対の弾力歯とを設けたあごを形成する二側面を有するＵ字型フランジを備えていることに特徴がある。
【０００７】
支持部の上面に埋め込まれた差し込み部と、二つの弾力歯のバネ効果とによって、挿入された位置にある部分がスライドして動くことを防ぐ保持力を強化することができる。支持部の底面に接触する二つの弾力歯によって、別々の厚みを有する支持部を扱うことができる。
【０００８】
好ましい実施の形態によると、二つの歯は、二側面を分離するギャップの外側に適切な角度で折り曲げられ、各歯は、支持部にあごが挿入された際、弾力的に変形して下方に屈曲できる。各歯は、支持部の厚みに従って数ミリメートルたわむことのできる所定の長さを有している。部分のフランジは、側面に連結している上面と正面とを有し、上面は、適切な角度で折り畳まれた各上端アームの一部によって形成されている。
【０００９】
別の特徴は、単独でも、組み合わせても使用することができ、ギャップは、正面の内壁に固定された部材を挿入できるように、上面の中央に長手方向に通路まで延在し、部分の正面は、部材を掛けたり、部材の通路となる開口を設けることができるとともに、頂点部で外方に折り畳まれ掛け金となる突出部を有し、弾力歯は、垂直な対称中間面に対して対称に配置し、部分の上面は、正面の頂点に設けられた第二の半円形の縁に対向する第一の半円形の縁を有し、部分は、フランジ内を通過するロッドを予め配置できるよう、フランジ内部で正面に向かって設けられた中間タブを有している。
【００１０】
他の利点や特徴は、限定しない実施の形態のみからなり、添付図面に示された本発明の実施の形態の後述する記載によって、より明確に示される。
【発明を実施するための最良の形態】
【００１１】
好ましい実施の形態の記載
図１乃至図５に示すように、取付装置１０は、様々な部材を支持したり、固定したりできるよう、支持部１２の縁に沿って装着されるライダーを形成する金属部１１を備えている。（図２において破線で概略の示されている）支持部１２は、例えば、二つの平行に対向する平面１２Ａ，１２ｂを有し、長方形の横断面を有する直線状の金属梁や棒によって形成されている。
【００１２】
金属部１１は、厚みの薄い金属プレート１３やシートを切断することによって得られる。切断は、図５に示した、垂直な対称中間面Ｐに対して対称になっている２つのＥ型構造の外形に従って行われる。二つのＥ型構造は、二つの頂点アーム１３ｂと、二つの中間アーム１３ｃと、二つの底面アーム１３ｄとを両側面に設けた共通本体１３Ａから構成されている。
【００１３】
金属プレート１３は、取付装置１０を一体構造の部分１１にするために（図１参照）、複数の折り畳み線で折り畳まれている。
【００１４】
折り畳まれた金属部１１は、上面１４と、正面１５と、対称面Ｐに対して平行な二つの側面１６，１７とを有するＵ字型のフランジを形成している。上面１４の反対側において、底面はフランジの奥行き全体に渡って開口している。
【００１５】
各下端アーム１３ｄの末端には、所望の角度で外方に折り曲げられた柔軟歯１８が設けられており、バネを構成するよう支持部１２上に部分１１が挿入される際に、柔軟に下方へ屈曲できる。二つの歯１８は中間面Ｐに対して対称となっており、側面１６，１７を分離するギャップの外方に配置されている。
【００１６】
側面１６，１７はＣ字型又はＵ字型のあごを形成しており（図１及び図２）、部分１１の固定を確実にするため、支持部１２に係合することができる。あごの幅は、側面１６，１７を分離するギャップに相当している。各上面アーム１３ｂの縁には、支持部１２上に挿入される際に、埋め込まれるよう内方にわずかに傾いた列状の差し込み部１９が設けられていることが好ましい。
【００１７】
支持部１２の上面に埋め込まれた差し込み部１９と、二つの歯１８のバネ効果によって、挿入された位置にある部分１１がスライドする動きを防ぐ保持力が強化される。支持部１２の底面に対して接触するよう動く二つの柔軟歯１８によって、特別な器具や調整手段を使用することなく、別々の厚みを有する支持部を支持することができる。各歯１８の長さは、この目的のために、最大たわみが約７ｍｍになるよう選ばれる。
【００１８】
部分１１の上面１４は、所望の角度で折り畳まれた各上端アーム１３ｂの一部によって形成されている。図３Ａにおいて、直線ギャップ２０が、対称中間面Ｐの縦方向に延在して設けられている。図３Ｂにおける別の実施の形態によると、ギャップ２０は傾斜部を有し、この傾斜部の端部は突出部２２の逆側に掛け金を掛けて配置される固定システム３２となっている。
【００１９】
部分１１の正面１５は、本体１３Ａの一部からなり、この本体１３Ａは円形の固定開口２１と、上面部に掛け金を掛ける突出部２２とを有している。
【００２０】
部材の取り付け可能性を高めるために、付加的な開口を正面１５と、側面１６，１７とに設けることができることは明白である。
【００２１】
二つの中間タブ１３ｃは、フランジの内側にピン形状になるよう折り畳まれ、正面１５を向いている。これらの内部タブ１３ｃがあることによって、上面１４と正面１５との間の通路２３を通って通過するネジロッドや他の部材を、配置するとともに、案内することができる。
【００２２】
固定用の付属品を用いることなく、様々な部材、特にネジロッド、平滑ロッド、金属カラー、プラスチックストラップ、小さな鎖、ケーブルなどを、取付装置１０の部分１１に直接固定することができる。支持部１２に跨って部分１１が取り付けられた後に、これらの部材の取り付けが行われる。機械的強さが強いため、重い吊り重りを支持することができる。
【００２３】
図６において、電気ケーブル２４を固定カラー２５やたがのクランプ作用によって正面１５に固定することができ、固定カラー２５やたがは、フランジの内部を垂直に延在している通路２３を通過している。
【００２４】
図７において、電気ケーブル２４は、部分１１の上面１４上方に取り付けられており、この場合、カラー２５の通路は、上端アーム１３ｂの折り畳まれた部分の内側に、水平に設けられている。
【００２５】
図８において、部分１１に固定された部材は、通路２３を通過し、二つの中間タブ１３ｃによって垂直な位置で予め配置されたネジロッド２６によって形成されている。固定ナット２７はロッド２６のネジ部分に取り付けられており、機械的に固定するために突出部２２上で支持されている。
【００２６】
図９において、中間タブ１３ｃをわずかに変形することによって、矢印Ｆ１やＦ２の角度方向にロッド２６を動かすことができる。垂直方向の両側で角度方向に動かすことができ、その角度は両側に約１０°である。
【００２７】
図１０において、部分１１は、支持部１２に跨って水平に取り付けられる代わりに、逆Ｕ字型に支持部１２に取り付けられている。ロッド２６は、正面１５に垂直な方向に開口２１を通過している。
【００２８】
図１１において、平滑ロッドのフック２８は、部分１１の内部を通って正面１５の開口２１に掛けられている。フック２８はチェーンや他の吊し付属品によって置き換えられることは明らかである。
【００２９】
図１２乃至図１６に示す別の実施の形態によると、部分１１０の構造は図１乃至図５に示した構造と異なっており、プレート１３０は、プレート１３のような突出部２２を有する代わりに、湾曲した切欠き１２２を有している。タブ１３ｃの端部は、櫛を形成するよう溝が入っている。部分１１０の残りの部分は、図１乃至図５の部分１１の構造と同一である。
【００３０】
部分１１０は、ネジロッド２６を固定ナットを使用することなく固定することができる。折り畳んだ後、切欠き１２２は、上面１４に第一の半円形の縁２９と、正面１５の頂点に半円形の縁３０とを形成する。
【００３１】
図１７において、ネジロッド２６は、垂直方向に延在し、第一の縁２９とタブ１３ｃの細い溝とによって固定されている。図１８によると、ネジロッド２６は、所定の角度で傾くことができ、二つの縁２９，３０とタブ１３ｃとによって保持されている。
【図面の簡単な説明】
【００３２】
【図１】本発明による取付装置のフランジの斜視図。
【図２】支持部から取り外され作動位置にない弾力歯（実線）と、支持部に係合し作動位置にある弾力歯（破線）を示す図１の側方図。
【図３Ａ】図２の平面図。
【図３Ｂ】別の実施形態の図３Ａに相当する図。
【図４】図２の側面図。
【図５】図１の取付装置を示す部分の折り畳まれる前の切欠き金属プレートを示す図。
【図６】フランジの正面にカラーによって固定されたケーブルを有する取り外された図２の取付装置。
【図７】フランジの上面にカラーによって固定されたケーブルを有する取り外された図２の取付装置。
【図８】垂直方向にフランジを通過するネジロッドを設けた図２の取付装置を示す図。
【図９】垂直方向の両側にロッドを限られた角度で動かすことができることを示す図８の側面図。
【図１０】逆Ｕ字形状の垂直な支持部に取り付けられた取付装置の開口を通過するロッドの別の取付状態を示す図。
【図１１】図１の取付装置の正面の開口にフックで固定されたロッドを示す図。
【図１２】取付装置の別の実施の形態を示す図１に相当する図。
【図１３】取付装置の別の実施の形態を示す図２に相当する図。
【図１４】取付装置の別の実施の形態を示す図３に相当する図。
【図１５】取付装置の別の実施の形態を示す図４に相当する図。
【図１６】取付装置の別の実施の形態を示す図５に相当する図。
【図１７】固定ナットを用いずに垂直方向に固定されたネジロッドを設けた図１２の取付装置を示す図。
【図１８】固定ナットを用いずに傾斜位置で固定されたネジロッドを設けた図１２の取付装置を示す図。
【符号の説明】
【００３３】
１１    金属部
１２    金属支持部
１３    金属プレート
１３ｂ  上端アーム
１３ｃ  中間タブ
１３ｄ  下端アーム
１４    上面
１５    正面
１６    側面
１７    側面
１８    弾力歯
１９    差し込み部
２０    ギャップ
２１    開口
２２    突出部
２３    通路
２６    ロッド
２９    第一の半円形の縁
３０    第二の半円形の縁
１１０  金属部
【図１】
2006145037.tif 000003
【図２】
2006145037.tif 000004
【図３Ａ】
2006145037.tif 000005
【図３Ｂ】
2006145037.tif 000006
【図４】
2006145037.tif 000007
【図５】
2006145037.tif 000008
【図６】
2006145037.tif 000009
【図７】
2006145037.tif 000010
【図８】
2006145037.tif 000011
【図９】
2006145037.tif 000012
【図１０】
2006145037.tif 000013
【図１１】
2006145037.tif 000014
【図１２】
2006145037.tif 000015
【図１３】
2006145037.tif 000016
【図１４】
2006145037.tif 000017
【図１５】
2006145037.tif 000018
【図１６】
2006145037.tif 000019
【図１７】
2006145037.tif 000020
【図１８】
2006145037.tif 000021
【外国語明細書】
2006145037000001.pdf